(57)【要約】  １枚以上のディスク（２０２，２０３）を保持するための装置であって、ディスクの平面に垂直な方向へのディスクの取り出しを妨げるために、ディスクの周囲を受容可能である下向きの重なり部分（２０５Ａ，２０５Ｂ）を有している剛性を有するトレイ（２０１）を備え、ディスクを、ディスクの平面に平行な方向にディスクを滑らすことによって前記重なり部分（２０５Ａ，２０５Ｂ）から取り外し可能である装置が開示されている。その間をディスクの直径が通過する弾性部材（２０６Ａ，２０６Ｂ）は、滑りに対してディスクを拘束するために使用することができる。２つ以上の部分的に重なっているディスクは、同様の方法でトレイ上に保持することができる。
2008546602.tif 000002
【特許請求の範囲】
【請求項１】
ディスクを保持するための装置であって、
前記ディスクの上面部に重なるための１つ以上のリップ及び／又は前記ディスクの周囲部分を受容するためのスロットを備える１つ以上の重なり部分を有している剛性を有する保持部分を備え、
前記ディスクの周囲部分は、前記重なり部分の下に受容可能であり、よって前記ディスクの平面に対して略垂直な方向への前記装置からの前記ディスクの取り出しを妨げ、
前記ディスクは、前記ディスクの平面に略平行な方向にディスクを滑らせることによって前記重なり部分から取り外し可能であることを特徴とする装置。
【請求項２】
前記重なり部分がポケットによって前記ディスクを保持することを特徴とする請求項１に記載の装置
【請求項３】
前記ディスクは、前記ディスクが前記装置から自由に取り出される前に、少なくとも５ｍｍ、より好ましくは少なくとも１０ｍｍ、最も好ましくは少なくとも２０ｍｍを前記ディスクの平面に略平行な方向に滑らせなければならない構成とされていることを特徴とする請求項１又は請求項２に記載の装置。
【請求項４】
閉位置において、ディスクが前記重なり部分の下から滑り出ることを防ぐ固定装置を有していることを特徴とする請求項１〜３のいずれか一項に記載の装置。
【請求項５】
前記固定装置は、前記保持部分に回動可能に取り付けられていることを特徴とする請求項４に記載の装置。
【請求項６】
前記保持部分は、ディスクが前記重なり部分の下から滑り出ることを防ぐように、前記ディスクの周囲縁部に隣接して配置される、及び／又は前記ディスクの平面に対して略垂直な方向への前記ディスクの移動を妨げるように前記ディスクの周囲に重なるように配置されることを特徴とする請求項４又は請求項５に記載の装置。
【請求項７】
前記ディスクが前記重なり部分の下から滑り出るときに、前記ディスクの端部が滑り上がる傾斜路を有していることを特徴とする請求項１〜６のいずれか一項に記載の装置。
【請求項８】
前記ディスクが前記ディスクの平面に略平行な方向への突出部分の下から滑り出される場合に、前記ディスクの平面に略垂直な方向の前記ディスクの屈曲が前記装置からの前記ディスクの取り出しを容易にするように、配置されていることを特徴とする請求項１〜７のいずれか一項に記載の装置。
【請求項９】
２つの前記重なり部分を有し、ディスクの平面に略垂直な方向に前記装置からの前記ディスクの取り出しを妨げるように、前記ディスクの周囲が前記２つの重なり部分の間に受容可能であり、前記ディスクは、前記ディスクの平面に略平行な方向に前記ディスクを滑らすことによって前記重なり部分から取り外し可能であり、この取り外しは、前記ディスクの端部が前記重なり部分の間で滑るときに、前記拘束部分の屈曲によって容易にされていることを特徴とする請求項１〜８に記載の装置。
【請求項１０】
前記２つの重なり部分は、前記ディスクが前記装置から滑り出る方向に略垂直な方向における前記ディスクの直径よりも短い所定の距離だけ離隔されていることを特徴とする請求項９に記載の装置。
【請求項１１】
前記重なり部分は、ディスクを、前記ディスクの平面に略垂直な方向に前記装置に向かって前記ディスクを移動することによって、前記重なり部分の下に導入することができる一方で、前記装置からの前記ディスクの取り外しが、前記ディスクを前記ディスクの平面に略平行な方向に滑らすことを必要とするように構成されていることを特徴とする請求項１〜１０のいずれか一項に記載の装置。
【請求項１２】
前記保持部分は、プラスチックのトレイの形態とされることを特徴とする請求項１〜１１のいずれか一項に記載の装置。
【請求項１３】
２枚以上のディスクを保持するように配置され、前記ディスクは、互いに少なくとも部分的に重なっていることを特徴とする請求項１〜１２のいずれかに一項に記載の装置。
【請求項１４】
前記ディスク又は各前記ディスクは、凹部内に位置付けられ、前記凹部の端部の周りの壁又はリッジによって前記ディスクの周囲のみを支持されていることを特徴とする請求項１〜１３に記載の装置。
【請求項１５】
前記保持部分は、厚紙製のカバーに取り付けることができることを特徴とする請求項１〜１４に記載の装置。
【請求項１６】
前記保持部分は、容器内に取り付けられている、又は容器の基部及び／又は蓋部分と一体に形成されていることを特徴とする請求項１〜１４に記載の装置。
【発明の詳細な説明】
【技術分野】
【０００１】
本発明は、例えば、ＣＤ（コンパクトディスク）又はＤＶＤ（デジタル多目的ディスク）のようなディスクを保持するための装置に関する。
【背景技術】
【０００２】
装置内で中心孔を介してディスクを保持するための多くの種類の装置が周知である。ディスクがディスクの周囲において拘束部材によって保持される多くの種類の装置もまた、周知である。このような拘束部材は、ディスクが装置から解放され、且つ軸方向に装置から持ち上げられるまで、例えばディスクの平面に垂直な方向のような軸方向にディスクを拘束するように設計される。
【発明の開示】
【発明が解決しようとする課題】
【０００３】
このような構成は多くの利点を有するが、本発明はディスクを保持する代替方法を提供し、よって製品の設計者たちに幅広い選択肢を提供しようとしている。
【課題を解決するための手段】
【０００４】
本発明の第１の態様によれば、ディスクを保持するための装置であって、１つ以上の重なり部分を有している剛性を有する保持部分を備え、前記ディスクの周囲が前記重なり部分の下に受容可能であり、よって前記ディスクの平面に対して略垂直な方向への前記装置から前記ディスクの取り出しを妨げ、前記ディスクは、前記ディスクの平面に略平行な方向にディスクを滑らせることによって前記重なり部分から取り外し可能であることを特徴とする装置が提供される。
【０００５】
好ましくは、前記重なり部分は、ポケットによって前記ディスクを保持する。好ましくは、前記ディスクは、前記ディスクが前記装置から自由に取り出される前に、少なくとも５ｍｍ、より好ましくは少なくとも１０ｍｍ、最も好ましくは少なくとも２０ｍｍを前記ディスクの平面に略平行な方向に滑らせなければならない。これは、ディスクが軸方向に取り出されることができる前に、ディスクの微小な水平移動が周囲の保持手段からディスクを解放するように使用される先行技術とは対照的である。
【０００６】
前記保持部分は、プラスチックトレイの形態であってもよい。
【０００７】
前記装置は、閉位置において、ディスクを前記重なり部分の下から滑り出ることを防ぐ固定装置を備えてもよい。前記固定装置は、トレイに回動可能に取り付けられてもよい。
【０００８】
固定装置は、好ましくは、前記保持部分上に回動可能に取り付けられたフラップを備える。閉位置において、フラップの一部は、前記ディスクが前記重なり部分の下から滑り出ることを防ぐように、前記ディスクの周囲端部に隣接するように、且つ前記ディスクの平面に略垂直な方向の移動を妨げるためにディスクの周囲に重なるように、配置される。好ましくは、フラップは、この方法で２枚のディスクと相互に作用する。所望される場合、類似のフラップは、トレイの対向する側部上に設けられる場合がある。
【０００９】
前記装置には、好ましくは、前記ディスクが前記重なり部分の下から滑り出るとき、前記ディスクの端部が滑り上がる傾斜路が設けられる。
【００１０】
前記ディスク又は各前記ディスクは、好ましくは、凹部内に位置付けられ、前記凹部の端部の周りの傾斜した壁によって前記ディスクの周囲でのみ支持される。
【００１１】
本発明の好ましい実施形態において、ディスクを保持するための装置であって、保持部分及び少なくとも２つの重なり部分を備え、前記ディスクの周囲が前記重なり部分の下に受容可能であり、よって前記ディスクの平面に略垂直な方向に前記装置からの前記ディスクの取り出しを妨げ、前記ディスクが前記ディスクの平面に略平行な方向への突出部分の下から滑り出される場合に、前記ディスクの平面に略垂直な方向の前記ディスクの屈曲が前記装置からの前記ディスクの取り出しを容易にするように、配置されることを特徴とする装置が提供される。
【００１２】
本発明の好ましい実施形態において、ディスクを保持するための装置であって、保持部分及び少なくもと２つの重なり／拘束部分を備え、前記ディスクの周囲が前記重なり／拘束部分の下に受容可能であり、よって前記ディスクの平面に略垂直な方向に前記装置からの前記ディスクの取り出しを妨げ、前記ディスクは、前記ディスクの平面から略平行な方向に前記ディスクを滑らせることによって前記重なり／拘束部分から取り外し可能であり、
この取り出しは、前記ディスクの端部が前記重なり／拘束部分の間で滑るときに、前記拘束部分の屈曲によって容易にされていることを特徴とする装置が提供される。
【００１３】
前記２つの重なり部分は、好ましくは、前記ディスクが前記装置から滑り出る方向に略垂直な方向における前記ディスクの直径よりも短い所定の距離だけ離隔される。
【００１４】
本発明の他の好ましい実施形態において、ディスクを保持するための装置であって、保持部分及び１つ以上の重なり部分を備え、前記ディスクの周囲が前記重なり部分の下に受容可能であり、前記ディスクの平面に略垂直な方向に前記装置から前記ディスクの取り出しを妨げ、ディスクを、前記ディスクの平面に略垂直な方向に前記装置に向かって前記ディスクを移動することによって、前記重なり部分の下に導入することができる一方で、前記装置からの前記ディスクの取り外しは、前記ディスクを前記ディスクの平面に略平行な方向に滑らすことを必要とするように構成されていることを特徴とする装置が提供される。
【００１５】
上記の構成は、装置に向かってディスクを軸方向に押圧することによって、ディスクを導入することを可能にする。これは、製造工程において、装置をより簡単に供給させる。重なり部分の下にディスクを滑らせることよりもむしろ軸方向にディスクを押圧することによって、使用者がディスクを取り替えるために選択する場合、装置が傷つけるリスクを低減する。それにもかかわらず、ディスクは、装置からディスクを解放するために、依然として横方向に滑らせる必要がある。
【００１６】
好ましい実施形態において、装置内に保持される場合、ディスクがディスクの平面に略垂直な方向にディスクに作用される力を用いて屈曲されることができ、それによって、前記少なくとも２つの重なり部分の下に位置しているディスクの周囲部分の間の距離が低減され、その結果、ディスクの平面に略平行な方向にディスクを滑らせることによってディスクの取り出しを容易にするように配置される。
【００１７】
重なり部分は、ディスクの上面部の一部に重なるための１つ以上のリップ及び／又はディスクの周囲部分を受容するためのスロットを備えることができる。重なり部分もまた、ディスクが拘束部分間に拘束される拘束部分を備えることができる。好ましくは、重なり部分は、好ましくはディスクの周囲の２１０°以内を除いてディスクの周囲の少なくとも１８０°の付近で連続的に又は断続的に設けられる。重なり部分は、好ましくは、ディスクの縁部から５ｍｍ以下で、より好ましくはディスクの縁部から３ｍｍ以下のみで、ディスクの周囲領域のみに重なる、又は隠す。
【００１８】
好ましい実施形態において、装置は、２つの一対の重なり部分を備え、第１の一対の重なり部分は（装置内に保持された場合、）ディスクの中心部に対して、１２０°以下で、より好ましくは９０°以下で互いから角度的に離隔し、第２の一対の重なり部分は装置内に保持されるディスクの中心部に対して１２０°以上で、好ましくは１８０°以上で（例えば、１９０°から２１０°の間で）互いから角度的に離隔している。
【００１９】
好ましくは、重なり部分は、ディスクが例えば、この移動の初めの２〜５ｍｍの間で装置から滑り出るときに、第１の一対の重なり部分がディスクの最初の移動間でディスクの周囲のみに重なる一方、例えば、その移動の２０ｍｍ〜２５ｍｍ以上で、（すなわち、ディスクの保持される位置から２０〜２５ｍｍの位置まで）第２の一対の重なり部分がディスクの大部分の移動の間でディスクに重なるように、配置される。好ましい構成において、第２の一対の重なり部分とディスクとの間で（例えば、ディスクの円周の長さに沿って）重なりの範囲は、ディスクが滑り出されるにつれて初めに増加し、ディスクがさらに滑り出されるにつれて減少する。
【００２０】
装置は、２枚以上のディスクを保持するように配置され、好ましくは、ディスクが互いに少なくとも部分的に重なる。
【００２１】
好ましい実施形態において、装置は２枚のディスクを保持する。装置は、２枚のディスクが略反対方向で又は同一方向で滑り出るように配置されることができる。好ましくは、一のディスクが他のディスクに対して引っ掻くリスクを避ける又は低減するために他のディスクから離隔して移動するように、一のディスクが装置の外側に滑り出されるにつれて、一のディスクの端部が傾斜路に沿って移動するように構成される。
【００２２】
他の実施形態において、装置は２枚以上のディスクを保持し、ディスクは、各ディスクが例えば５°と１０°との間で水平に対して傾斜している状態を除いて、互いに平行に保持される。
【００２３】
さらなる配置において、複数のディスクのうちの第１のディスクは、ディスクの平面に略平行な方向で滑り出されなければならないように上述される方法で保持される一方、第２のディスクはディスクの中心孔を介してディスクを係合する保持手段によって装置上に保持される。前述の通り、そのような多くの種類の保持手段は、周知であり、且つ使用されることができる。
【００２４】
２枚以上のディスクが装置上に保持される場合、ディスクは、異なる種類及び／又は異なる大きさであってもよい。例えば、一のディスクは約１２０ｍｍの直径を有するＣＤ又はＤＶＤであってもよく、他のディスクは約８０ｍｍの直径を有するミニディスクであってもよい。
【００２５】
保持部分は、厚紙製のカバーに取り付けることができる。代替方法として、保持部分は、容器内に取り付けることができ、又は基部及び／又は容器の蓋部分と一体に形成されることができる。
【００２６】
本発明のさらなる好ましい特徴及び任意の特徴は、以下の説明から明らかになるであろう。
【００２７】
本発明は、添付された図面を参照して、単に例示の方法によってさらに記載される。
【発明を実施するための最良の形態】
【００２８】
図１は、厚紙製のカバー２内に取り付けられたトレイ１を備えている装置を示す。トレイ１は、例えば射出成形処理によって成形された、比較的剛性を有するプラスチック材料から形成され、例えば接着剤によってカバー２に固着される。
【００２９】
トレイ１は、第１のディスクを受容するための第１の領域３Ａ及び第２のディスクを受容するための第２の領域３Ｂを備えている、トレイ内に形成された凹部を有し、第１の領域及び第２の領域は、ある程度重なっており、よってトレイ内に取り付けられたディスクが互いからオフセットされるように重なる。傾斜した壁３Ｃ，３Ｄは、ディスクの周囲でディスクを支持するために凹部の縁部の周りに設けられる。
【００３０】
大部分の先行技術とは異なり、トレイには、ディスクの中心孔に係合するためのハブ又は他の係合手段は設けられていない。その代わりに、各領域には１つ以上の重なり部分４Ａ，４Ｂ，５Ａ，５Ｂが設けられ、これら重なり部分の下にディスクの周囲を受容することができる。
【００３１】
積層部分４Ａ，４Ｂ，５Ａ，５Ｂは、参照符号６Ａで示されるようなスロットと共に、参照符号５Ａで示されるような突出するリップによって部分的に設けられてもよい。その代わりに、単なる突出するリップが、（ディスクの上面に重なるために）設けられてもよく、単なるスロットが、（ディスクの周囲部分を受容するために）設けられてもよい。
【００３２】
示される構成において、２つの重なり部分は、各ディスクのために設けられ、それぞれは、ディスクの外周の周りの約４０°に延在している。その代わりに、単一の重なり部分は、ディスクの周囲の周りのより大きな程度で延在して設けることができ、又は、多数の小さな重なり部分が設けられてもよい。好ましい配置においては、重なり部分は、ディスクが、所定の方向に実質的にスライド移動することによって重なり部分の下から滑り出ることだけができるように配置される。好ましくは、重なり部分は、ディスクが、トレイ１から持ち上げて取り出すことができる以前に、少なくとも５ｍｍ、好ましくは少なくとも１０ｍｍだけその平面に平行な方向に滑らされなければならないように配置される。従って、重なり部分は、ディスクが取り除くことが可能となる以前に滑らせなければならないポケットによってディスクを保持する。
【００３３】
図１はまた、トレイ１の端部でディスクの縁部にアクセスできるように設けられる切り欠き７Ａ及び７Ｂを示す。図１は傾斜路８Ａ及び８Ｂ並びに固定装置９も示し、その機能がさらに以下に記載される。
【００３４】
図２は、中に取り付けられたディスク１０及び１１を有する図１の装置を示す。示されるように、ディスクは、ディスクの中心孔１０Ａ及び１０Ｂがオフセットするように、互いに部分的に重なっている。ディスクは、重ねられる必要はないが、そうすることによってトレイの大きさを低減することが可能になる。ディスクは傾斜した壁３Ｃ及び３Ｄによって支持され、一方のディスクの記録された面（下面部）が他方のディスクから離隔され、よって一方のディスクが他のディスクを傷つけるリスクを低減している。重なる程度は、製品の要求に適合するように変化されることができる。各ディスクの中心孔が、必ずしも必須ではないが、（ディスクの取り扱いを助けるために）アクセス可能であることが望ましい。
【００３５】
図２は閉位置における固定装置９を示しており、この閉位置ではディスクがそれらの各ポケットから滑り出ることを防いでいる。
【００３６】
図３は、どのようにしてディスク１０が取り出されるかを図示する。固定装置９は、もはやディスクの縁部に隣接して位置しないように、初め矢印Ａによって示されるように外向きに回動され、次いで、ディスク１０は、ディスクが重なり部分５Ａ及び５Ｂの下から滑り出るまで、少なくとも１０ｍｍの距離を矢印Ｂによって示される方向に滑らされる。このすべりの動きの端に向かって、ディスク１０の端部は傾斜路８Ｂを上昇し、よって使用者の指により、よりアクセス可能とされている。よって、ディスク１０は、トレイ１から持ち上げて取り外すことができる。
【００３７】
トレイの端部の中央に切り欠き７Ｂを設けることによって、ディスク１０の後端部１０Ｂにアクセスすることができる。従って、使用者は、中心孔１０Ａ及び後端部１０Ｂにおいてディスク１０を把持することができ、ディスク１０を方向Ｂに滑らすことができる。
【００３８】
これは、前端部１０Ｃの領域内の指が第２のディスク１１を傷つける場合があり、及び／又は一方のディスクの前端部１０Ｃと他方のディスクの中心孔１１Ａとの間に挟まってしまう場合があるので、ディスクの前端部１０Ｃ及び中心孔１０Ａを介してディスクを把持することより好ましい。また、傾斜路８Ｂを上昇するディスク１０の動きも好ましくは、このことが、第１のディスクの中心孔１０Ａが、第２のディスクの後端部１１Ｃを通過し、使用者の指が中心孔１０Ａとトレーディング縁部１１Ｃとの間に挟まってしまうリスクを低減するように、ディスク１０とディスク１１との間の離隔を増大するように配置される。
【００３９】
図４は、どのようにディスク１１が取り除かれるのかを図示する。固定装置９が開位置にある状態で、ディスク１１は、重なり部分４Ａ，４Ｂの下から滑り出るまで、少なくとも１０ｍｍの距離を矢印Ｃによって示される方向に滑らされる。この滑りの動きの端に向かって、ディスク１１の縁部は傾斜路８Ｂを上昇し、使用者の指によりアクセス可能であるようにされている。その結果、ディスク１１はトレイ１から持ち上げて外すことができる。ディスク１１は、（ディスクは、代わりにディスクの前端部１１Ｃ及び中心孔１１Ａを介して把持され得るけれども、）ディスクの中心孔１１Ａ及び後端部１１Ｂにおいて把持することができ、方向Ｃにディスクを滑らせることができる。
【００４０】
図５及び図６は、閉位置及び開位置における固定装置９の拡大図を示す。閉位置において、（図６に見られる）表面９Ａ及び９Ｂはディスク１０及び１１のそれぞれの縁部に隣接して位置しており、ディスクが方向Ｂ及び方向Ｃにそれらのポケットから滑り出ることを防止している。さらに、閉位置において、ショルダー９Ｃ及び９Ｄはディスク１０及びディスク１１のそれぞれに重なり、ディスクをそれらのポケットから外れないようにすることを助けている。
【００４１】
固定装置もまた、トレイ１内で特徴を有するスナップ式が閉位置でデバイス９を保持する突出部９Ｅ、９Ｆを備える。フィンガー溝９Ｇは、使用者が図６で示される開位置に固定装置を引くことを助ける。
【００４２】
また、図５及び図６は、ディスク１０、１１がポケット内に挿入されるときに、ディスク１０及びディスク１１が越える突起部１２Ａ，１２Ｂを示す。これら突起部は、ディスクがポケット内で緩みなしに収容されるが、ポケットからディスクを滑らす場合には、突起部が提供する抵抗が使用者によって容易に克服され得ることを確実にする。
【００４３】
図７は、本発明の第２実施形態の斜視図である。これは、ディスク３０，３１の両方が（図８に見られる）水平軸に対して通常５〜１０°程度僅かに傾斜されている点を除いて第１の実施形態と同様である。図８の断面図に示されるように、ディスク３０及びディスク３１は互いに平行であるが、各ディスクの上端部３０Ａ及び３１Ａは同じ高さにあり、且つ同様に、各ディスクの下端部３０Ｂ及び３１Ｂは同じ高さにある。ディスク３０及びディスク３１は、ディスク３０が方向Ｄにそのポケットから滑り出され、ディスク３１が方向Ｅにそのポケットから滑り出されるように配置される。従って、この実施形態は、ディスクの縁部を支持している傾斜した壁が要求された傾きでディスクを支持するように形成される点を除いて、上述された実施形態と同様である。リップ２４Ａ，２４Ｂ，２５Ａ，２５Ｂのような別の特徴も、適切であるように傾斜される。
【００４４】
さらなる配置において、両方のディスクは、同一の方向Ｄに滑らせて出すことができる。この場合において構成は、３枚又はそれ以上の複数のディスクを保持するように延在させることができる。各ディスクが傾斜され、よって他のディスクと同じ高さで容器内に位置するので、追加のディスクを、トレイの厚さ（深さ）を増大することなく装置内に保持することができる。このような特徴を組み込んでいる実施形態が、以下にさらに記載される。
【００４５】
図９は、上述された装置内に保持されるディスク３０及びディスク３１の平面図を示すとともに、重なり部分２４Ａ，２４Ｂ，２５Ａ，２５Ｂのリップがどのようにディスク３０及びディスク３１の周囲部分に亘って延在するかをより明白に示す。ディスク３０の（通常、ディスク上に蓄積されたデータに関係した図を有する）上面の大部分がディスク３１の大部分の上面と同じように可視状態に維持されることが理解される。
【００４６】
もちろん、図１〜６で示される実施形態の平面図は、図９で示される実施形態にとても類似している。
【００４７】
図１０〜１５は、２０ずつ増加する参照符号で示された第１の実施形態の部分に対応する部分を有する第２の実施形態のさらなる図を示す。
【００４８】
図１４及び図１５に示される突起部３２Ａ及び突起部３２Ｂは、突起部３２Ａ及び突起部３２Ｂがトレイ２１に他の端部において取り付けられた弾性アームの端部に設けられる点で、第１の実施形態の突起部と僅かに異なる。
【００４９】
固定装置２９もまた、ショルダー２９Ａが異なる形状を有するので僅かに異なる。また、突出部９Ｆの代わりに、固定装置には、トレイ２１内のスロット２１Ｂ内に突出部２１Ａを通過してスナップ嵌めされる弾性戻り止め（resilient detent）２９Ｊが設けられる。さらに、固定装置２９にはトレイ上に突出部２１Ｃを通過してスナップ嵌めされるアーム２９Ｋが設けられ、一旦開位置に移動すると、突出部２１Ｃを越えて元へ戻されるまでこの位置にとどまるように固定装置が開閉される。
【００５０】
上述された実施形態は２枚以上のディスクを保持しているが、単一のディスクを類似の方法で保持し得ることが理解される。
【００５１】
図１６〜３２は、本発明の第３の実施形態を図示する。図１６は、（図１７に見られるように）第１のディスク１０２及び第２のディスク１０３を受容するために、装置内に細長い凹部１０１Ａを有するプラスチックトレイ１０１の形態の保持部分を備えている装置を示す。
【００５２】
凹部１０１Ａの中心には、使用者に矢印１０４Ｂの方向に第１のディスクを滑らせ、且つ矢印１０４Ａの方向に第２のディスクを滑らすように指示するための図１０４が設けられる。一旦ディスク１０２及びディスク１０３が図２及び図６で示されるような位置で凹部１０１Ａ内に導入されると、ディスク１０２及びディスク１０３はそれぞれ矢印１０４Ａ及び矢印１０４Ｂの先端を越えて中心が位置合わせされる。その対向する側部１０１Ｇと側部１０１Ｈとの間の凹部１０１Ａの幅は、ディスク１０２，１０３の直径（直径よりもほんの少しだけ大きい直径）に同様とされ、ディスクをそこに保持する。
【００５３】
トレイ１０１には複数の重なり部分が設けられ、ディスクがトレイ内で保持される間は、この重なり部分の下にディスクの周囲が位置する。例えば、ディスク１０２は、第１の一対の拘束部分又は突出部１０５Ａ，１０５Ｂ及び第２の一対の拘束部分又は突出部１０６Ａ，１０６Ｂによって保持される。
【００５４】
ディスクの周囲は凹部１０１Ａの周囲の周りに設けられる傾斜した壁又はリッジ１０１Ｆに係合し、且つ支持される。
【００５５】
第１の一対の突出部１０５Ａ，１０５Ｂは、ディスク１０２の周囲の上に突出するトレイ１０１の実質的に剛性を有する部分を備える。突出部１０５Ａ，１０５Ｂは、１２０°以下の角度によって又は好ましくは９０°以下の角度によって、（ディスク１０２の中心に対して）互いから角度的に離隔される。図示された実施形態においては、角度の離隔Ｂは、約７５°である。ＣＤ又はＤＶＤを保持するように設計された装置では、突出部１０５Ａ，１０５Ｂは通常、ディスク１０２の周囲上に２〜３ｍｍ突出し、それぞれがディスク１０２の周囲に約１０〜１５ｍｍ延在する。
【００５６】
第２の一対の突出部１０６Ａ，１０６Ｂは、同様にディスク１０２の周囲上に突出するトレイ１０１の弾性部分を備える。突出部１０６Ａ，１０６Ｂは、１２０°以上の角度によって、好ましくは１８０°以上の角度によって、（ディスク１０２の中心に対して）互いから角度的に離隔される。図示された実施形態においては、角度の離隔Ｃは、約２００°である。スロット１０７Ａ，１０７Ｂ，１０７Ｃ，１０７Ｄは、トレイ１０１内に突出部１０６Ａ，１０６Ｂの両側に設けられ、多少の弾性を突出部に提供し、それによって、突出部１０６Ａと突出部１０６Ｂとの間の直線的な離隔を、例えば０．５ｍｍ〜２ｍｍ程度僅かに増加できるようにしている。突出部１０６Ａ及び１０６Ｂのそれぞれは、突出部１０６Ａ及び／又はトレイ１０１の部分の外側への湾曲の効果によって、及び／又はトレイ１０１の残りの部分に対して下向きに突出部１０６Ａの屈曲することによって屈曲することができる。各突出部１０６Ａ，１０６Ｂは通常、（スロット間で）約１０ｍｍ〜１５ｍｍの長さを有することができ、ディスク１０２の周囲上に約２ｍｍ〜３ｍｍ突出する。突出部１０６Ａ，１０６Ｂの上部は、（図１６〜図２０で示されるような）ディスク１０２に向かう（上方から見た場合）略直線状の縁部を提供し、又は（図２１〜図２４で示されるような）傾斜された形状を有することができる。これら上部の下に、各突出部は、ディスク１０２の円筒状の端面に係合する略垂直な表面を有する。突出部１０６Ａ，１０６Ｂは、図３０〜図３２を参照して以下にさらに詳細に記述される。
【００５７】
凹部１０１Ａの別の端部には、突出部１０５Ａ，１０５Ｂ及び１０６Ａ，１０６Ｂにそれぞれ類似する突出部１０８Ａ，１０８Ｂ及び１０９Ａ，１０９Ｂが設けられる。
【００５８】
ディスク１０２を図１及び図６で示される位置から取り外す方法は、図１７〜図２０及び図２２〜図２４に参照してこれから記載される。
【００５９】
装置からディスク１０２を取り外すために、ディスクを、ディスク１０２の平面に略平行な方向で、矢印Ｄ１の方向に横に滑らさなければならない。最初に、ディスクは、ディスクの後端部におけるディスクの周囲が突出部１０５Ａ及び１０５Ｂの下から滑り出る、図１７及び図２２に示される位置へ移動する。この位置において、ディスクは、突出部１０６Ａ，１０６Ｂの下という位置によって、ディスク１０２の平面に略垂直な方向の、軸方向の移動に対して依然として堅固に保持されている。実際には、突出部１０６Ａ，１０６Ｂとディスクの周囲との間の重なりの程度は、ディスクが図２で示される位置から図１８で示される位置に移動するにつれて、増加する。
【００６０】
図１９及び図２０は、方向Ｄ１にさらに滑動された後のディスク１０２を示し、示されるようにディスク１０２の周囲は突出部１０６Ａ及び１０６Ｂの下に依然として保持されている。図３及び図４に示される位置の間で、ディスク１０２の直径は、突出部１０６Ａ及び１０６Ｂの間を通過する。しかしながら、突出部１０６Ａ及び１０６Ｂの一部は、ディスクの直径よりも短い距離、通常は１ｍｍ〜３ｍｍ短い距離で離隔されている。それ故に、ディスク１０２の直径が突出部の位置の間を通過することを可能とするように、２つの別個な特徴点が設けられる。
・第一に、突出部１０６Ａ，１０６Ｂは、外側に屈曲され得るように弾性的に取り付けられており、それによって、突出部１０６Ａ，１０６Ｂの部分間の空間を増加させる。
・第二に、ディスク１０２は、トレイ１０１の方へ（又はトレイ１０１から離隔する方へ）ディスク１０２の平面に略垂直な方向に屈曲することができる。ディスクが屈曲するので、突出部１０６Ａ，１０６Ｂの前記一部に係合しているディスクの縁部は、ディスクの直径を効果的に低減するように、内向きに引き付けられる。ディスク１０２は、使用者が指でディスクを下に押圧することによって屈曲され、及び／又は、略直径の対向するポイントにおいて突出部１０６Ａ，１０６Ｂによって及び／又は傾斜路１１０Ａ，１１０Ｂに係合することによってディスクの縁部に作用する内向きの圧力のために上昇される。
【００６１】
これら２つの動作の組み合わせによって、図１８で示される位置から図１９で示される位置にディスクを移動することが可能である。
【００６２】
いくつかの実施形態においては、これら動作のうちの一つが優勢であるが、好ましくは、これら動作の両方がディスクの滑り出ることを容易にするようにする。他の実施形態においては、一つの動作のみが存在しても良く、すなわち、ディスクを滑り出させることが、ディスクの屈曲の効果によってのみ達成されても、又は突出部１０６Ａ，１０６Ｂの屈曲の効果によってのみ達成されても良い。
【００６３】
ディスク１０２及び／又は突出部１０６Ａ，１０６Ｂがディスクを滑り出させることが可能であるように屈曲することを必要とされる場合、突出部１０６Ａ，１０６Ｂとディスクとの間の重なり部分は増加することができ、それによってディスクはトレイ１０１内により強固に保持される。
【００６４】
ディスク１０２が図１８に示される位置から図２０で示される位置に移動するとき、ディスクの縁部は、弾性の突出部１０６Ａ，１０６Ｂに隣接して凹部１０１Ａの側部に設けられる傾斜路１１０Ａ，１１０Ｂを滑り上がる。それ故に、ディスク１０２の前端部は、使用者が、図２５で示されるように、装置からディスク１０２を持ち上げて外すことを助けるように上昇される。さらに、傾斜路１１０Ａ，１１０Ｂは、ディスク１０２の下面が他のディスク１０３から離隔して移動することを確実にし、ディスク１０２の記録面が傷つかないようにする。
【００６５】
このように、本構成は、ディスクがディスクの平面に略平行な方向に滑動する必要があるポケットを模擬しており、よってディスクはディスクの縁部でのみ係合しているにもかかわらず装置から取り出され、トレイの基部又はトレイに保持されている他のディスクを破損しないようにしている。
【００６６】
ディスク１０２の取り出し及び、突出部１０６Ａ及び１０６Ｂとのディスクの相互作用は、図３０〜図３２を参照して以下にさらに記載される。
【００６７】
ディスク１０２は、上述された滑り出るプロセスとは逆のプロセスによる、突出部１０６Ａ，１０６Ｂ及び突出部１０５Ａ，１０５Ｂの下でディスクを元の位置へ滑らすことによってトレイ１０１内に再導入することができる。しかしながら、弾性の突出部１０６Ａ，１０６Ｂは、それらの上面が面取りされているので、ディスク１０２を代わりにトレイ内に軸方向に導入することができるように配置することができ、突出部１０６Ａ，１０６Ｂは、ディスク１０２が突出部１０６Ａ，１０６Ｂの上に配置され、よってトレイ１０１に向かって下向きに押圧される場合に、ディスク１０２の上面上に戻るまで、下向き及び外側に屈曲する。ディスク１０２は、ディスクが弾性の突出部１０６Ａ，１０６Ｂを通過してスナップ嵌めされる前に又は後に、固定された突出部１０５Ａ，１０５Ｂの下に配置することができる。
【００６８】
これは、ディスク１０３がこの方法で導入されることを示す図２９で図示される。ディスク１０３は突出部１０８Ａ及び突出部１０８Ｂの下に位置付けられるように示され、ディスク１０３の周囲は突出部１０９Ａ，１０９Ｂの上に静止する。その結果、ディスク１０３の縁部は、ディスクが突出部１０９Ａ，１０９Ｂの突出部分の下に位置決めされるまで、突出部１０９Ａ，１０９Ｂ及び／又はディスク１０３を屈曲させている突出部１０９Ａ，１０９Ｂの上部の内側縁部上に設けられた面取りされた表面の上に上昇するとすぐに、ディスク１０３は、方向Ｄ３で下向きに押圧されることができる。突出部９Ａの面取りされた表面１０９Ｃは、図３０及び図３１で示される。
【００６９】
それ故に、装置は、ディスク１０２が位置内に滑らせなければならないよりはむしろ、これが製造工程でより実行しやすいので、ディスク１０２が軸方向に導入され得るように設計される。さらに、使用者が選択し、又は不注意に軸方向にディスク１０２を導入する場合、これは弾性の突出部１０６Ａ，１０６Ｂ（又は、ディスク１０２）を傷つけることなく実行されることができる。
【００７０】
一旦ディスク１０２が導入された場合、ディスクは緩和状態で、すなわち、任意の屈曲力に支配されない状態で保持される。しかしながら、突出部１０６Ａ，１０６Ｂの弾性の性質は、この動作を克服する及び／又はディスクを屈曲するための十分な力がディスクを外側に滑り出すために作用されるまで、装置内でディスクを付勢及び／又は保持することを助ける。
【００７１】
一旦ディスク１０２が取り出された場合、他のディスク１０３は（図２５に見られるように）方向Ｄ２で滑り出されることができる。ディスク１０３は、反対方向という点を除いて、ディスク１０２と本質的に類似の方法で滑り出される。しかしながら、ディスクが（図２６〜図２８を参照して以下に記載されるように）僅かに傾斜した位置で保持されるので、ディスク１０３は、ディスクが横向きに滑らせるにつれて円弧（arc）に沿って移動する。ディスクは初めに略水平な位置へ移動し、次いでディスクを取り除かれるようにディスクの前端部は上向きに移動し続ける。この移動は、ディスク１０３が取り除かれるにつれて、傾斜路１１０Ｃ及び１１０Ｄの上方に移動しているディスク１０３の縁部によって助けられる。
【００７２】
ディスク１０３及び／又は弾性の突出部１０９Ａ，１０９Ｂは、ディスク１０３がこの方法で滑り出されることを可能にするために屈曲する。
【００７３】
図２６は、図１６のラインＡ−Ａ上での断面図を示す。これは、ディスク１０２，１０３がどのようにしてトレイ１０１の基部に対して約１．５°〜５°の角度（図示された実施形態において、約２．５°の角度）で保持されるかを図示する。それ故に、２枚のディスクは、各ディスクの下縁部がトレイ１０１の基部を係合し、且つ各ディスクの上縁部がトレイ１０１の上部開口側部に隣接する状態で、同一の高さで保持される。
【００７４】
図２７で最も明確に示されるように、ディスク１０２の下部縁部は、トレイ１０１の端部壁１０１Ｃの下部縁部でスロット１０１Ｂ内に位置付けられるのに対して、ディスク１０２の上部縁部はトレイの端部壁１０１Ｅの上部縁部でリップ１０１Ｄの下に位置付けられる。
【００７５】
図３０及び図３１は、突出部１０６Ａ，１０９Ａ及びそれらの突出部の間の傾斜路１１０Ａ，１１０Ｃの拡大図を示す。トレイ１０１の対向する側部上の突出部１０６Ｂ及び１０９Ｂは、突出部１０６Ａ及び１０９Ａの鏡像である。
【００７６】
図３２は、突出部１０６Ａのさらなる拡大図を示す。図３０及び図３１から理解されるように、突出部１０６Ａ及び１０９Ａは、互いの正確な鏡像ではないけれども（小さな差異は、図２６及び図２７で示されるようなディスクの傾斜のために、ディスクが突出部を通過して滑り出させるにつれて、ディスク１０２及びディスク１０３の僅かに異なる移動のために必要である）、とても似ている。
【００７７】
突出部１０６Ａは面取りされた上部面１０６Ｃを有し、面取りされた上部面の機能は突出部１０９Ａの面取りされた面１０９Ｃのために上述された機能と類似である。
【００７８】
突出部１０６Ａもまた、略垂直な湾曲された面１０６Ｄを有し、その湾曲された面は、図１７及び図２１で示される位置で保持される場合、ディスク１０２の湾曲された周囲に対して位置付けられ、且つディスク１０２の湾曲された周囲に一致する。突出部もまた、凹み部分１０６Ｅと、湾曲された面１０６Ｄと凹み部分１０６Ｅとの間の略垂直な角部分１０６Ｆとを有する。第１の突出部分１０６Ｇは湾曲された面１０６Ｄの上方に設けられ、且つ第２の突出部分１０６Ｈは凹み部分１０６Ｅの上方に設けられる。
【００７９】
上記に示されるように、ディスク１０２が装置内に保持される場合、その周囲は湾曲された面１０６Ｄを係合し、ディスクは、ディスクが湾曲された面１０６Ｄと第１の突出部分１０６Ｇとの間の交差部１０６Ｊで係合する第１の突出部分１０６Ｇによって、すなわち、トレイ１０１の外側で、垂直方向の移動に対して堅固に拘束される。ディスク１０２が緩和状態及び非圧迫状態で保持される間に、方向Ｄ１の任意の小さな移動は、ディスク１０２が図１７及び図２１で示される保持された位置の方へ強制的に元に戻されるように、突出部１０６Ａの撓みを生じる。
【００８０】
角部分１０６Ｆが凹部１０１Ａ内に突出することは理解される。それ故に、角部分１０６Ｆと対向する突出部分１０６Ｂの角部分との間の離間は、ディスク１０２の直径より短い。それ故に、ディスク１０２が上述されるように方向Ｄ１に滑ることによって取り除かれる場合、ディスクが突出部１０６Ａ及び１０６Ｂの角部分の間ではさんで締め付けられる。上述されるように、突出部１０６Ａ，１０６Ｂ及び／又はディスク１０２は、それらの対向する角部分の間で方向Ｄ１にディスク１０２を移動することを可能にするように屈曲しなければならない。このプロセスの間に、ディスク１０２が角部分の間ではさんで締め付けられ、且つ突出部分１０６Ｇ及び／又は１０６Ｈの下に位置するので、ディスクがトレイ１０１の外側の軸方向の移動に対して堅固に拘束される。
【００８１】
ディスク１０２が滑り出されるので、ディスクの縁部もまた、ディスクの屈曲のためにさらなる範囲を提供するように、ディスク１０２の前端部を上昇させる傾斜路１１０Ａ及び１１０Ｂの上方に上がる。
【００８２】
最終的には、ディスク１０２が図１９及び図２３で示される位置に方向Ｄ１で滑らせる場合、角部分はもはやディスク１０２の縁部からの外向きの圧力を受けず、ディスクの縁部は突出部１０６Ａの凹み部分１０６Ｅ及び突出部１０６Ｂの対応する凹み部分内に位置する。次いで、ディスクは、図２５で示されるようにトレイから離隔して自由に取り出されるように、ディスクが突出部１０６Ａの第２の突出部分１０６Ｈ及び突出部１０６Ｂの対応する第２の突出部分の下から浮上する図２０及び図２４で示される位置に方向Ｄ１でさらに滑らせる。
【００８３】
前述の通り、トレイは、好ましくは、例えばポリエチレンのようなプラスチック材料から形成される。最も好都合なことに、これは、射出成形によって形成される。それ故に、開口部は、射出成形プロセスで特定の特徴の形成を用意するために必要に応じてトレイ１０１内に設けられる。特に、開口部は、（図２５で突出部１０５Ａの下にある開口部１１２Ａを理解するように、）固定された突出部１０５Ａ，１０５Ｂ，１０８，Ａ及び１０８Ｂの下に設けられ、弾性の突出部１０６Ａ，１０６Ｂ，１０９Ａ及び１０９Ｂの下にそれぞれ（図１６に見られるような）開口部１１２Ｂ，１１２Ｃ，１１２Ｄ，及び１１２Ｅを設けられる。
【００８４】
図３３〜図３７は、本発明の第４実施形態を図示する。この実施形態は、３枚のディスクを保持するように設計され、且つ各ディスクが（第３の実施形態のような反対方向というよりむしろ、）同一の方向に装置内に滑り入る及び装置外に滑り出るように配置される点を除いて、図１８〜図３２で示される第３実施形態に多少類似している。
【００８５】
図３３Ｂは、凹部２０１Ａ内の第１の領域２０１Ｂ，第２の領域２０１Ｃ，第３の領域２０１Ｄ内で、（図３３Ａで示されるように）第１のディスク２０２、第２のディスク２０３、第３のディスク２０４をトレイ内に受容するための細長い凹部２０１Ａを有するプラスチックトレイ２０１の形態の保持部分を備えている装置を示し、ディスクがそれらの領域内に受容されるように部分的に重なっているそれらの領域もまた部分的に重なる。
【００８６】
対向する側部２０１Ｇとその側部２０１Ｈとの間の凹部２０１Ａの幅は、そこで保持されるためのディスクの直径に（直径より大きい場合を除いて）類似している。
【００８７】
トレイ２０１には複数の重なり部分が設けられ、ディスクがトレイ内で保持される間にディスクの周囲が複数の重なり部分の下に位置する。例えば、ディスク２０２は、第１の一対の拘束部分又は突出部２０５Ａ，２０５Ｂ及び第２の一対の拘束部分又は突出部２０６Ａ，２０６Ｂによって保持される。対応する一対の突出部は、他のディスクのそれぞれのために設けられる。
【００８８】
領域２０１Ｂ，２０１Ｃ，及び２０１Ｄのそれぞれは、図３６Ａ及び図３７Ａで最もよく示されるように、ディスクが（ディスクの下面がプラスチックトレイ２０１と接触しないで保持されるように）ディスクの周囲のみで領域内に支持されるような湾曲された基部又は凹型の基部を有する。
【００８９】
第１の一対の突出部２０５Ａ，２０５Ｂは、ディスク２０２の周囲に亘って突出するトレイ２０１の剛性を有する部分を備える。突出部２０５Ａ，２０５Ｂは、１２０°以下の角度によって（ディスク２０２の中心に対して）互いから角度的に離隔される。図示された実施形態において、角度の離隔Ｅは、約１１５°である。ＣＤ又はＤＶＤを保持するように設計される装置のために、突出部２０５Ａ，２０５Ｂは通常、ディスク２０２の周囲の上に２ｍｍ〜３ｍｍ突出し、それぞれがディスク２０２の周囲に約１０ｍｍ〜１５ｍｍ延在する。
【００９０】
第２の一対の突出部２０６Ａ，２０６Ｂは、同様にディスク２０２の周囲の上に突出するトレイ２０１の弾性部分を備える。突出部２０６Ａ，２０６Ｂは、１８０°より僅かに大きい角度によって（ディスク２０２の中心に対して）互いから角度的に離隔される。図示された実施形態において、角度の離隔Ｃは、約１９０°である。スロット２０７Ａ，２０７Ｂ，２０７Ｃ，２０７Ｄは、多少の弾性を有する突出部を設けるために突出部２０６Ａ，２０６Ｂの両側部でトレイ２０１内に設けられ、それによって、突出部２０６Ａと突出部２０６Ｂとの間の直線的な離隔は、例えば０．５ｍｍ〜２ｍｍ僅かに増加させることができる。突出部２０６Ａ，２０６Ｂのそれぞれは、突出部２０６Ａ及び／又はトレイ２０１の部分の外側への湾曲の効果によって、及び／又はトレイ２０１の残りの部分に対して下向きに突出部の屈曲することによって屈曲することができる。各突出部２０６Ａ，２０６Ｂは通常、（各スロット間で）約１５ｍｍ〜２５ｍｍの長さを有し、ディスク２０２の周囲に亘って約１ｍｍ〜２ｍｍ突出する。突出部２０６Ａ，２０６Ｂは、図３５Ｂ及び図３６Ｂを参照して以下にさらに詳細に記述される。
【００９１】
第２のディスク２０３は、トレイ２０１の基部内に設けられる一対の固定された突出部２０８Ａ及び２０８Ｂによって、及び図３３Ｂで示されるような一対の弾性の突出部２０９Ａ及び２０９Ｂによって、同様に保持される。第３のディスク２０４は、さらなる一対の固定された突出部２１０Ａ及び２１０Ｂと、図３３Ｂで示されるようなさらなる一対の弾性の突出部２１１Ａ及び２１１Ｂとによって保持される。
【００９２】
装置からディスク２０２を取り出すために、ディスクは、ディスク２０２の平面に略平行な方向で（図３３Ａに見られるように）矢印Ｄ１の方向に横向きに滑らせなければならい。初めに、ディスクは、ディスクの後端部でのディスクの周囲が突出部２０５Ａ及び突出部２０５Ｂの下から滑らせて出す位置に移動する。この位置において、ディスクは、突出部２０６Ａ、２０６Ｂの下のその位置によって、ディスク２０２の平面に略垂直な方向で、依然として軸方向の移動に対して堅固に保持される。
【００９３】
次いで、ディスク２０２は、ディスク２０２の直径が突出部２０６Ａと２０６Ｂとの間を通過するまで、ディスク２０２の周囲が突出部２０６Ａ及び２０６Ｂの下で依然として保持される状態で、方向Ｄ１にさらに滑らせる。突出部２０６Ａ及び２０６Ｂがディスクの直径よりも短い距離、通常１ｍｍ〜３ｍｍ短い距離で離間されるので、突出部２０６Ａ及び２０６Ｂは外向きに屈曲され、それによって突出部２０６Ａ，２０６Ｂの間の空隙はディスク２０２の直径がそれらの突出部の間を通過することを可能にする。
【００９４】
ディスク２０２が滑らせて出すにつれて、ディスクの縁部は、次の一対の弾性の突出部２０９Ａ，２０９Ｂ上に設けられた傾斜路２１２Ａ，２１２Ｂを滑り上がる。それ故に、ディスク２０２の前端部は、ディスク２０２の記録面が傷つかないようにディスク２０２の下面がディスクの下に他のディスク２０３から離隔して移動されることを確実にし、且つ使用者が装置の外側にディスクを取り出すことを助けるために上昇される。
【００９５】
それ故に、ポケットを模擬するように配置され、装置からディスクを取り出すために、そのポケット内のディスクがディスクの平面に略平行な方向で滑らせなければならない。しかしながら、ディスクは、ディスクの縁部のみで係合され、トレイの基部又は領域内で保持されるディスクに対して引っ掻くことを防がれる。
【００９６】
ディスク２０２は、上述される滑り出されるプロセスの逆のプロセスによって、突出部２０６Ａ，２０６Ｂ及び突出部２０５Ａ，２０５Ｂの下で元の位置へディスクを滑らせることによってトレイ２０１内に再導入されることができる。
【００９７】
一旦ディスク２０２が装置内で導入される場合、ディスクは、例えば任意の屈曲力に支配されない緩和状態で保持される。しかしながら、突出部２０６Ａ，２０６Ｂの弾性性質は、この動作を克服するため及び／又はディスクを屈曲するための十分な力が装置の外側にディスクを滑り出させるために作用されるまで、装置内でディスクを付勢及び／又は保持することを助ける。
【００９８】
一旦ディスク２０２が取り除かれた場合、第２のディスク２０３は同一方向で滑り出されることができる。ディスク２０３は、ディスク２０２に本質的に類似な方法で滑り出される。次いで、第３のディスク２０４は、本質的に同じ方法で同一方向に滑り出されることができる。第３のディスクの前端部は、トレイ２０１の端部に設けられる傾斜路２１５の上方に滑らす。
【００９９】
図３６Ａ及び図３７Ａは、図３３ＢのラインＡ−Ａ上の断面図を示す。これは、ディスクがどのようにトレイ２０１の基部に対して約１．５°〜約５°の角度で保持されるかを図示する。トレイ２０１の深さをさらに低減するために、ディスクは、僅かに異なる角度で保持され、（図３７Ａに最も良く示されるように）ディスク２０４が約５°の角度で保持され、ディスク２０３が約４°のより浅い角度で保持され、且つディスク２０２が約３°のさらにより浅い角度で保持される。代替実施形態（図示せず）において、ディスク２０２，２０３，２０４は、（これによってトレイ２０１の深さを増加するけれども、）例えば全てのディスクが水平に対して約５°の角度で保持されるように、互いに平行に位置することができる。
【０１００】
図３５Ａ及び図３５Ｂは、突出部２０６Ａ，２０９Ａ及び２１１Ａの拡大図を示す。トレイ２０１の対向する側部上の突出部２０６Ｂ，２０９Ｂ及び２１１Ｂは、突出部２０６Ａ，２０９Ａ及び２１１Ａの鏡像である。図３６Ｂ及び図３７Ｂもまた、それらの突出部の特徴を示す。
【０１０１】
突出部２０６Ａは、図３３Ａ及び図３４Ａで示される位置で保持される場合、ディスク２０２の湾曲された周囲に対して位置し、且つ湾曲した周囲に一致する略垂直な湾曲された表面２０６Ｄを有する。突出部もまた、凹み部分２０６Ｅ、及び湾曲された表面２０６Ｄと凹み部分２０６Ｅとの間の略垂直な角部分２０６Ｆを有する。第１の突出部分２０６Ｇは湾曲した表面２０６Ｄの上方に設けられ、第２の突出部分２０６Ｈは凹み部分２０６Ｅの上方に設けられる。
【０１０２】
前述の通り、ディスク２０２が装置内に保持される場合、ディスクの周囲は、湾曲された面２０６Ｄを係合し、且つディスクは第１の突出部分２０６Ｇによって、すなわちトレイ２０１の外側で、垂直方向の移動に対して堅固に拘束される。突出部分２０６Ｇの下面は、ディスク２０２の上面に略平行に位置するように、所定の角度で傾斜される点を除いて実質的に平坦である。ディスク２０２が緩和状態且つ非圧迫状態で保持される間に、方向Ｄ１の任意の小さな移動は、ディスク２０２が図３３Ａ及び図３４Ａで示される保持された位置の方へ強制的に元に戻されるように、突出部２０６Ａの撓みを生じる。
【０１０３】
角部分２０６Ｆは、角部分２０６Ｆと対向する突出部分２０６Ｂの角部分との間の空隙がディスク２０２の直径より小さいように、凹部２０１Ａ内に突出する。それ故に、ディスク２０２が上述されるように方向Ｄ１に滑らせることによって取り除かれる場合、突出部２０６Ａ及び２０６Ｂは、ディスク２０２がそれらの対向する角部分の間で方向Ｄ１に移動することを可能にするために屈曲しなければならない。このプロセス中に、ディスクは、突出部分２０６Ｇ及び／又は２０６Ｈの下に依然として位置し、それによりディスクがトレイ２０１の外側で軸方向の移動に対して堅固に拘束される。
【０１０４】
ディスク２０２が滑り出るにつれて、ディスクの縁部もまた、ディスク２０２の前端部を上昇させる次の一対の弾性の突出部２０９Ａ，２０９Ｂの上に傾斜路２１２Ａ及び２１２Ｂを上昇する。
【０１０５】
ディスク２０２が方向Ｄ１に滑らせるにつれて、ディスクの直径は、ディスク２０２の縁部から角部分の上の外向きの圧力が低減され、且つディスクの縁部が突出部２０６Ａの凹み部分２０６Ｅ及び突出部２０６Ｂの対応する凹み部分内に位置するように、角部分の間を通過する。次いで、ディスクは、トレイ２０１から離隔して自由に取り出されるように、ディスクが突出部２０６Ａの第２の重なり部分２０６Ｈ及び突出部２０６Ｂの対応する第２の重なり部分の下から浮上するように、方向Ｄ１にさらに滑らせる。
【０１０６】
前述の通り、トレイは、好ましくは、例えばポリエチレンのような、プラスチック材料から形成される。最も好都合なことに、これは、射出成形によって形成される。開口部は、射出成形プロセス内で特定の特徴の形成を容易にするために、必要に応じてトレイ２０１内に設けられる。特に、開口部は、それらの特徴の形成を容易にするために、固定された突出部２０５Ａ，２０５Ｂ等の下に設けられる。装置は、好ましくは、開口部が射出成形プロセス内で２つの部分からなる工具を垂直方向に真っ直ぐに上下することによって形成されることができるように構成される。
【０１０７】
上述された実施形態が３枚のディスクを保持すると同時に、多少のディスクの数は、類似の方法で保持されることができる。
【０１０８】
上述された他の実施形態において、装置は、各ディスクがその周囲のみで支持されるように配置され、ディスクが装置から滑り出させるにつれて、ディスクがディスクの真下のトレイ又はディスクからさらにディスクの下面を分離するように傾斜路の上方に滑り上がるように配置される。これは、ディスクの下面を傷つけるリスクを低減することを補助する。
【０１０９】
第２の実施形態、第３の実施形態、及び第４の実施形態において、ディスクは、ディスクの周囲を重ねている構成要素によって軸方向の移動に対して保持され、且つ（第３及び第４の実施形態において、同一の構成要素がそれら２つの機能を提供する）ディスクの縁部を係合している弾性部材によってスライド移動に対して保持される。弾性部材は、ディスクの直径が弾性部材の間を通過することを可能にするように離隔して屈曲するように配置される。次いで、好ましくは、さらなるスライド移動は、ディスクが装置から取り出され得る前に必要とされる。
【０１１０】
図示された実施形態は、厚紙製のカバーに取り付けることができるトレイを示す。しかしながら、トレイは、プラスチックの容器内で取り付けられることができ、又は、基部部分及び／又は容器の蓋部分と一体に形成されることができる。
【０１１１】
トレイもまた、例えば、特別な扉のように、または多量のトレイのうちの一つのように容器内に回動可能に取り付けられることができる。回動可能に取り付けられた場合、トレイは、基部及び蓋部分に結合している背部分に平行なラインに関して又は背部分に垂直なラインに関して回動するように構成されることができる。多量のトレイが設けられる場合、トレイは、互いに位置合わせを行うために配置され、又は各トレイが隣接したトレイに部分的のみに重なるように配置されることができる。
【０１１２】
上述された装置は、その中心孔を介して保持する方法以外の方法で、ＣＤ又はＤＶＤのような１枚以上のディスクを保持する方法を提供する。代わりに、ディスクは、例えば、射出成形技術によってさらに容易に大量生産されることができるポケットを模擬する特徴によって保持され、及び１つ以上のディスクのための頑丈な容器を提供する特徴によって保持される。ディスクは、ディスクの記録面がダメージを受けないように、ディスクの周囲のみで装置を係合する方法で、取り出され、且つ導入されることができる。好ましい実施形態において、ディスクは、装置が衝撃荷重を受ける場合でさえ工業的な“落下試験”を通過することができるように、堅固に保持される。
【図面の簡単な説明】
【０１１３】
【図１】（部分的に重なっている）２枚のディスクを保持するための本発明の第１の実施形態の斜視図である。
【図２】装置に取り付けられて示される２枚のディスクを有する図１に記載の装置の斜視図である。
【図３】第１のディスクがどのようにして装置から取り出されるかを図示している斜視図である。
【図４】第２のディスクがどのようにして装置から取り出されるかを図示している斜視図である。
【図５】第１の実施形態の（閉位置における）固定装置の拡大図である。
【図６】ディスクを取り出す前の図５の（開位置における）固定装置の拡大図である。
【図７】装置に取り付けられて示される２枚のディスクを有する第２の実施形態の斜視図である。
【図８】図６で示される装置及びディスクの概略的な断面図である。
【図９】第２の実施形態の平面図である。
【図１０】（装置内でディスクが無い状態の）第２の実施形態の斜視図である。
【図１１】（装置内で保持されて示される２枚のディスクを有する）他端からの第２の実施形態の斜視図である。
【図１２】第１のディスクがどのようにして取り出されるかを図示している第２の実施形態の斜視図である。
【図１３】第２のディスクがどのようにして取り出されるかを図示している第２の実施形態の斜視図である。
【図１４】第２の実施形態の（閉位置における）固定装置の拡大図である。
【図１５】ディスクを取り出す前の図１４の（開位置における）固定装置の拡大図である。
【図１６】本発明による装置の第３の実施形態の平面図である。
【図１７】装置に取り付けられるディスクを有する図１６で示される装置の平面図である。
【図１８】装置から取り外す間の第１のディスクの３つの位置のうち１つを示す図である。
【図１９】装置から取り外す間の第１のディスクの３つの位置のうち１つを示す図である。
【図２０】装置から取り外す間の第１のディスクの３つの位置のうち１つを示す図である。
【図２１】図１７に対応する装置の斜視図である。
【図２２】図１８に対応する装置の斜視図である。
【図２３】図１９に対応する装置の斜視図である。
【図２４】図２０に対応する装置の斜視図である。
【図２５】第１のディスクが図２４で示される位置に到達した後で、第１のディスクの取り出しを示している斜視図である。
【図２６】図１７のラインＡ−Ａに沿った断面図である。
【図２７】図１７のラインＡ−Ａに沿った断面斜視図である。
【図２８】（図１９及び図２３のディスクに対応する位置で）部分的に取り外された第１のディスクを示している点を除いて図２７に類似している斜視図である。
【図２９】（滑り入るというよりはむしろ）ディスクがどのようにして装置内に押圧されるかを図示している斜視図である。
【図３０】装置の一端上に重なる部分の拡大斜視図である。
【図３１】装置の一端上に重なる部分の拡大正面図である。
【図３２】図３０及び図３１で示される重なる位置のうち一つの拡大斜視図である。
【図３３Ａ】本発明による装置の第４の実施形態の（そこに取り付けられたディスクを有する）斜視図である。
【図３３Ｂ】本発明による装置の第４の実施形態の（そこに取り付けられたディスクを有さない）斜視図である。
【図３４Ａ】第４の実施形態の（そこに取り付けられたディスクを有する）平面図である。
【図３４Ｂ】第４の実施形態の（そこに取り付けられたディスクを有さない）平面図である。
【図３５Ａ】第４の実施形態の詳細の（そこに取り付けられたディスクを有する）拡大斜視図である。
【図３５Ｂ】第４の実施形態の詳細の（そこに取り付けられたディスクを有さない）拡大斜視図である。
【図３６Ａ】図３３Ｂで示される中心ラインＣ−Ｃに沿った第４の実施形態の詳細の（そこに取り付けられたディスクを有する）断面斜視図である。
【図３６Ｂ】図３３Ｂで示される中心ラインＣ−Ｃに沿った第４の実施形態の詳細の（そこに取り付けられたディスクを有さない）断面斜視図である。
【図３７Ａ】図３６Ａ及び図３６Ｂで示される（そこに取り付けられたディスクを有する）断面側面図である。
【図３７Ｂ】図３６Ａ及び図３６Ｂで示される（そこに取り付けられたディスクを有さない）断面側面図である。
【符号の説明】
【０１１４】
１  トレイ
２  厚紙製のカバー
３Ａ  第１の領域
３Ｂ  第２の領域
３Ｃ  傾斜した壁
３Ｄ  傾斜した壁
４Ａ  重なり部分
４Ｂ  重なり部分
５Ａ  重なり部分（リップ）
５Ｂ  重なり部分
６Ａ  スロット
７Ａ  切り欠き
７Ｂ  切り欠き
８Ａ  傾斜路
８Ｂ  傾斜路
９  固定装置
９Ａ  表面
９Ｂ  表面
９Ｃ  ショルダー
９Ｄ  ショルダー
９Ｅ  突出部
９Ｆ  突出部
９Ｇ  フィンガー溝
１０  ディスク
１０Ａ  中心孔
１０Ｂ  後端部
１０Ｃ  前端部
１１  ディスク
１１Ａ  中心孔
１１Ｂ  後端部
１１Ｃ  前端部
１２Ａ  突起部
１２Ｂ  突起部
２１  トレイ
２１Ａ  突出部
２２  厚紙製のカバー
２３Ａ  第１の領域
２３Ｂ  第２の領域
２４Ａ  リップ
２４Ｂ  リップ
２５Ａ  リップ
２５Ｂ  リップ
２６Ａ  スロット
２７Ａ  切り欠き
２７Ｂ  切り欠き
２８Ａ  傾斜路
２８Ｂ  傾斜路
２９  固定装置
２９Ａ  ショルダー
９Ｆ  突出部
２９Ｊ  弾性戻り止め
２９Ｋ  アーム
３０  ディスク
３０Ａ  上部縁部
３０Ｂ  下部縁部
３１  ディスク
３１Ａ  上部縁部
３１Ｂ  下部縁部
３２Ａ  突起部
３２Ｂ  突起部
１０１  トレイ
１０１Ａ  延長凹部
１０１Ｂ  スロット
１０１Ｃ  端部壁
１０１Ｄ  リップ
１０１Ｅ  端部壁
１０１Ｆ  リッジ
１０２  第１のディスク
１０３  第２のディスク
１０４  図
１０４Ａ  矢印
１０４Ｂ  矢印
１０５Ａ  突出部
１０５Ｂ  突出部
１０６Ａ  突出部
１０６Ｂ  突出部
１０６Ｃ  面取りされた上部面
１０６Ｄ  湾曲された面
１０６Ｅ  凹み部分
１０６Ｆ  角部分
１０６Ｇ  第１の突出部分
１０６Ｈ  第２の突出部分
１０６Ｊ  交差部
１０７Ａ  スロット
１０７Ｂ  スロット
１０７Ｃ  スロット
１０７Ｄ  スロット
１０８Ａ  突出部
１０８Ｂ  突出部
１０９Ａ  突出部
１０９Ｂ  突出部
１０９Ｃ  面取りされた面
１１０Ａ  傾斜路
１１０Ｂ  傾斜路
１１０Ｃ  傾斜路
２０１  プラスチックトレイ
２０１Ａ  凹部
２０１Ｂ  第１の領域
２０１Ｃ  第２の領域
２０１Ｄ  第２の領域
２０１Ｇ  側部
２０１Ｈ  側部
２０２  第１のディスク
２０３  第２のディスク
２０４  第３のディスク
２０５Ａ  突出部
２０５Ｂ  突出部
２０６Ａ  突出部
２０６Ｂ  突出部
２０６Ｃ  湾曲された
２０６Ｅ  凹み部分
２０６Ｆ  角部分
２０６Ｇ  第１の突出部分
２０６Ｈ  第２の突出部分
２０７Ａ  スロット
２０７Ｂ  スロット
２０７Ｃ  スロット
２０７Ｄ  スロット
２０８Ａ  突出部
２０８Ｂ  突出部
２０９Ａ  突出部
２０９Ｂ  突出部
２１０Ａ  突出部
２１０Ｂ  突出部
２１１Ａ  突出部
２１１Ｂ  突出部
２１２Ａ  傾斜路
２１２Ｂ  傾斜路
２１５  傾斜路
【図１】
2008546602.tif 000003
【図２】
2008546602.tif 000004
【図３】
2008546602.tif 000005
【図４】
2008546602.tif 000006
【図５】
2008546602.tif 000007
【図６】
2008546602.tif 000008
【図７】
2008546602.tif 000009
【図８】
2008546602.tif 000010
【図９】
2008546602.tif 000011
【図１０】
2008546602.tif 000012
【図１１】
2008546602.tif 000013
【図１２】
2008546602.tif 000014
【図１３】
2008546602.tif 000015
【図１４】
2008546602.tif 000016
【図１５】
2008546602.tif 000017
【図１６】
2008546602.tif 000018
【図１７】
2008546602.tif 000019
【図１８】
2008546602.tif 000020
【図１９】
2008546602.tif 000021
【図２０】
2008546602.tif 000022
【図２１】
2008546602.tif 000023
【図２２】
2008546602.tif 000024
【図２３】
2008546602.tif 000025
【図２４】
2008546602.tif 000026
【図２５】
2008546602.tif 000027
【図２６】
2008546602.tif 000028
【図２７】
2008546602.tif 000029
【図２８】
2008546602.tif 000030
【図２９】
2008546602.tif 000031
【図３０】
2008546602.tif 000032
【図３１】
2008546602.tif 000033
【図３２】
2008546602.tif 000034
【図３３Ａ】
2008546602.tif 000035
【図３３Ｂ】
2008546602.tif 000036
【図３４Ａ】
2008546602.tif 000037
【図３４Ｂ】
2008546602.tif 000038
【図３５Ａ】
2008546602.tif 000039
【図３５Ｂ】
2008546602.tif 000040
【図３６Ａ】
2008546602.tif 000041
【図３６Ｂ】
2008546602.tif 000042
【図３７Ａ】
2008546602.tif 000043
【図３７Ｂ】
2008546602.tif 000044
【国際調査報告】
2008546602.tif 000045
2008546602.tif 000046
2008546602.tif 000047